(57)【要約】【課題】コストアップを抑えつつ良好な装着感が得られる耳掛け式イヤホンを提供する。【解決手段】スピーカユニット(SP)が取り付けられた本体部(1)と、本体部(1)側に連結し、湾曲した腕部(3d)を有する耳掛けハンガ部(3)と、腕部(3d)に設けられ本体部(1)から離れる方向に延出する第１の延出部(3f1)及び第２の延出部(3f2)を有する掛止部(3f)と、を備える。掛止部(3f)の横断面形状において、第１の延出部(3f1)と第２の延出部(3f2)とは、腕部(3d)から離れるに従って互いに離隔するように延出形成されている。【選択図】図１
2016009970.tif 000002
【特許請求の範囲】
【請求項１】
スピーカユニットが取り付けられた本体部と、
前記本体部側に連結し、湾曲した腕部を有する耳掛けハンガ部と、
前記腕部に設けられ、前記本体部から離れる方向に延出する第１の延出部及び第２の延出部を有する掛止部と、
を備え、
前記掛止部の横断面形状において、前記第１の延出部と前記第２の延出部とは、前記腕部から離れるに従って互いに離隔するように延出形成されている耳掛け式イヤホン。
【請求項２】
前記腕部が本体部と連結する連結部から前記腕部の長さの半分の範囲に、前記掛止部の一部が延在することを特徴とする請求項１記載の耳掛け式イヤホン。
【請求項３】
前記耳掛けハンガ部が前記本体部に対し少なくとも１８０度回動可能とされて前記耳掛け式イヤホンは右耳と左耳との両方に装着可能となっており、
前記耳掛けハンガ部の前記腕部は、一平面に沿って湾曲形成されると共に、前記第１の延出部と前記第２の延出部とは、前記一平面を挟んで略等角度で傾斜延出していることを特徴とする請求項１または２に記載の耳掛け式イヤホン。
【請求項４】
請求項１〜３のいずれか１項に記載の耳掛け式イヤホンと、
一端側にマイクユニットを有し他端側が前記耳掛け式イヤホンの前記本体部に連結したアーム状のマイク部と、
を備えたことを特徴とする耳掛け式ヘッドセット。
【請求項５】
耳掛け式ではないイヤホンに取り付けて使用時の耳掛けを可能とする耳掛けハンガであって、
湾曲腕状に形成されたハンガ本体部と、
前記ハンガ本体部に設けられ前記イヤホンから延出するコードが嵌め込まれる溝部と、
前記ハンガ本体部の湾曲外側面に設けられ、径外方に延出する第１の延出部及び第２の延出部を有する掛止部と、
を備え、
前記掛止部の横断面形状において、前記第１の延出部と前記第２の延出部とは、前記ハンガ本体部から離れるに従って互いに離隔するように延出していることを特徴とする耳掛けハンガ。
【発明の詳細な説明】
【技術分野】
【０００１】
本発明は、耳掛け式イヤホン，耳掛け式ヘッドセット，及び耳掛けハンガに関する。
【背景技術】
【０００２】
イヤホンに関し、耳介に掛ける耳掛けハンガ及びそれを一体的に備えた耳掛け式イヤホンが知られており、一例が特許文献１に記載されている。
また、イヤホンとマイクとの両方を備えた所謂ヘッドセットにおいて、耳掛け式としたものが、特許文献２に記載されている。
また、耳掛け式のヘッドセットにおいて、装着状態を良好にするために、耳掛け部にスポンジ状の球体なるパッドを備えたものが、特許文献３に記載されている。
【先行技術文献】
【特許文献】
【０００３】
【特許文献１】特開２０１２−２４４５１４号公報
【特許文献２】特開２０１０−１９３３４４号公報
【特許文献３】特開２００８−３００９０３号公報
【発明の概要】
【発明が解決しようとする課題】
【０００４】
耳掛け式イヤホンは、耳掛け式でないものと比較して、耳介への装着姿勢が比較的安定することから、運動を伴う使用や業務用無線通信用など、多くの用途に用いられる。
【０００５】
しかしながら、耳掛けハンガが装着される、耳介と頭部側面との間の隙間間隔や隙間形状の個人差は大きい。
そのため、耳掛け式においても耳介の個人差に影響を受けずに良好な装着感が得られる工夫が特許文献３に示されるように検討されている。
それでも、特許文献３に記載されたような耳掛け部に別部材のパッドを取り付ける方法は、部品数が増えてコストアップになるという問題があり、更なる工夫が望まれているのが現状である。
【０００６】
そこで、本発明が解決しようとする課題は、コストアップを抑えつつより良好な装着感が得られる耳掛け式イヤホン，耳掛け式ヘッドセット，及び耳掛けハンガを提供することにある。
【課題を解決するための手段】
【０００７】
上記の課題を解決するために、本発明は次の構成を有する。
１）  スピーカユニット(SP)が取り付けられた本体部(1)と、
前記本体部(1)側に連結し、湾曲した腕部(3d)を有する耳掛けハンガ部(3)と、
前記腕部(3d)に設けられ、前記本体部(1)から離れる方向に延出する第１の延出部(3f1)及び第２の延出部(3f2)を有する掛止部(3f)と、
を備え、
前記掛止部(3f)の横断面形状において、前記第１の延出部(3f1)と前記第２の延出部(3f2)とは、前記腕部(3d)から離れるに従って互いに離隔するように延出形成されている耳掛け式イヤホン(52)である。
２）  １）に記載の耳掛け式イヤホン(52)と、
一端側にマイクユニット(MU)を有し他端側が前記耳掛け式イヤホン(52)の前記本体部(1)に連結したアーム状のマイク部(4)と、
を備えたことを特徴とする耳掛け式ヘッドセット(51)である。
３）  耳掛け式ではないイヤホン(EP)に取り付けて耳掛け使用を可能とする耳掛けハンガ(54)であって、
湾曲腕状に形成されたハンガ本体部(543d)と、
前記ハンガ本体部(543d)に設けられ前記イヤホン(EP)から延出するコード(65)が嵌め込まれる溝(543j)と、
前記ハンガ本体部(543d)の湾曲外側面に設けられ、径外方に延出する第１の延出部(543f1)及び第２の延出部(543f2)を有する掛止部(543f)と、
を備え、
前記掛止部(543d)の横断面形状において、前記第１の延出部(543f1)と前記第２の延出部(543f2)とは、前記ハンガ本体部(543d)から離れるに従って互いに離隔するように延出していることを特徴とする耳掛けハンガ(54)である。
【発明の効果】
【０００８】
本発明によれば、コストアップを抑制しつつ、より良好な装着感が得られる、耳掛け式イヤホン，耳掛け式ヘッドセット，及び耳掛けハンガを提供することができる。
【図面の簡単な説明】
【０００９】
【図１】本発明の実施の形態に係る耳掛け式ヘッドセットの実施例であるヘッドホン５１を説明するための後面図である。
【図２】ヘッドセット５１の右側面図である。
【図３】ヘッドセット５１の上面図である。
【図４】ヘッドセット５１を左耳に装着した状態を説明するための斜視図である。
【図５】図１におけるＳ１−Ｓ１位置での断面図である。
【図６】ヘッドセット５１を左耳に装着した状態での掛止部１ｆにおける断面図である。
【図７】本発明の実施の形態に係る耳掛け式イヤホンの実施例（ヘッドセット５１に対する変形例１）である耳掛け式イヤホン５２を説明するための後面図である。
【図８】本発明の実施の形態に係る耳掛けハンガの実施例（ヘッドセット５１に対する変形例２）である耳掛けハンガ５４を説明するためも模式図である。
【図９】他の変形例を説明するための断面図である。
【図１０】さらに別の変形例を説明するための模式図である。
【発明を実施するための形態】
【００１０】
本発明の実施の形態に係る耳掛け式ヘッドセットなどを、好ましい実施例及び変形例により図１〜図１０を参照して説明する。
以下の説明において、上下前後左右の各概略方向を各図の矢印の方向に規定している。この方向は、使用状態の姿勢における方向等とは直接関係がなく、理解容易のため便宜的に規定したものである。
【００１１】
（実施例）
実施の形態に係る耳掛式ヘッドセットの実施例としてヘッドセット５１を説明する。まず、ヘッドセット５１の概略構成を図１〜図３を参照して説明する。
図１はヘッドセット５１の後面図であり、図２は右側面図であり、図３は上面図である。
ヘッドセット５１は、後述するように、耳掛けハンガ部３（以下、単にハンガ部３とも称する）を１８０°回転させると共に、マイク部４を所定角度回動させることにより、左耳と右耳とのいずれにも装着してヘッドセットとして使用できるようになっている。
図１〜図３は、左耳に装着する態様を示しており、左耳への装着状態で前方が頭部側、左方が顔側となる。
また、上下方向は、便宜的に、ハンガ支柱部２の軸線ＣＬａ方向としてある。この上下方向は、使用者の耳介の形などにより、装着状態での上下（天地）方向とは必ずしも一致しない（詳細後述）。
【００１２】
ヘッドセット５１は、スピーカユニットＳＰが内部に取り付けられ、前方側を大底とする略円錐台状の本体部１と、本体部１に備えられて縁部から上方に突出するハンガ支柱部２と、ハンガ支柱部２に対し、その軸線ＣＬａまわりに回動可能に連結されたハンガ部３と、本体部１から斜め下方に向け延出するマイク部４と、本体部１から下方に引き出されたコード５と、を有している。以下の説明で、本体部１は、ハンガ支柱部２を含むものとする。
ハンガ支柱部２の軸線ＣＬａは、この例では、後面視において本体部１の概ね中心位置を通るように設定されているが、中心位置から偏倚した位置を通るように設定されていてもよい。
【００１３】
本体部１の大底側は、使用状態において外耳道を覆うように耳介に当接する。この当接する面を耳当て部１ａとする。
本体部１内に収容されたスピーカユニットＳＰからは、リード（図示せず）が延出してコード５内に通されている。
【００１４】
ハンガ支柱部２は、本体部１に一体とされた先細り段付きの支持軸部２ａを有し、その細軸部にハンガ部３の基部３ａが回動自在に外嵌されている。支持軸部２ａの先端は、基部３ａの抜け止めとなる止め部２ｂが取り付けられている。
【００１５】
ハンガ部３は、ハンガ支柱部２に対し、図１に示されるように右方側に延在する左耳装着用位置と、左方側に延在する右耳装着用位置（二点鎖線参照）と、の間の、少なくとも１８０°の角度範囲で、軸線ＣＬａまわりに回動可能とされている。すなわち、ハンガ部３を本体部１に対して１８０°回動させることで、右耳と左耳とのいずれの耳に対して選択的に装着可能とされている。
ハンガ部３は、基部３ａから止め部２ｂの右方縁に沿って上方に延出する並軸部３ｂと、並軸部３ｂの上方端において右方に折れ曲がる屈曲部３ｃと、屈曲部３ｃから右下方に向け、耳介Ｅの後頭部側の根本部位形状に沿うように湾曲延出した腕部３ｄと、を有している（図４参照）。
【００１６】
腕部３ｄは、装着状態で、本体部１の下方を通って軸線ＣＬａの左方側領域に先端部３ｅが位置するように形成されている。
腕部３ｄは、屈曲部３ｃと先端部３ｅとの間の湾曲領域における、先端部３ｅよりも屈曲部３ｃに近い部位に、掛止部３ｆを有している。掛止部３ｆの詳細は後述する。
【００１７】
腕部３ｄは、一平面に沿うように延在して形成されている。これにより、左耳装着用位置及び右耳装着用位置のいずれの位置においても、違和感なく耳に装着することができる。
また、腕部３ｄは、弾力性を有する材料で形成される。これにより、基部３ａを固定端としたときに、先端部３ｅ側を図１の反時計まわり又は時計まわりに移動させるように湾曲度合いを拡縮させる変形と、先端部３ｅ側を図１の前後方向（紙面表裏方向）に移動させる捻じれ変形と、が可能になっている。
【００１８】
マイク部４は、本体部１に対し、軸線ＣＬｂまわりの所定角度範囲で回動可能に組みつけられたマイク基部４ａと、左耳装着用位置においてマイク基部４ａから左下斜め前方に延出したポール部４ｂと、ポール部４ｂの先端に設けられ、マイクユニットＭＵを収容したマイク本体部４ｃと、を有している。
マイクユニットＭＵからは、リード（図示せず）が延出し、そのリードは、ポール部４ｂを通ってスピーカユニットＳＰからのリードと共にコード５内に通されている。
【００１９】
マイク部４が軸線ＣＬｂまわりに回動する際の所定角度範囲は、図１の後面視において、軸線ＣＬａを中心として左右方向に同じ角度θ４で設定されている。この角度θ４は、ヘッドセット５１を耳介Ｅに装着した状態で、マイク本体部４ｃが使用者の口元近傍に位置する角度として、ポール部４ｂの形状等と共に適宜設定される。例えば角度θ４≒４５°とされる。
図１では、ヘッドセット５１が右耳装着用位置とした場合のマイク部４の使用位置が、二点鎖線で示されている。
【００２０】
コード５の先端側は、外部機器に接続されるプラグ（図示せず）とされている。そのプラグを外部機器に接続することで、外部機器からの出力音声がスピーカユニットＳＰから出力され、マイクユニットＭＵで収音された音声が外部機器に供給されるようになっている。
【００２１】
ヘッドセット５１は、上述の構成により、ハンガ部３を耳介Ｅの後方側根本に引っ掛けることで、耳当て部１ａがおのずと外耳道を塞ぐように耳介Ｅの一部に当接すると共に、引っ掛けに伴うハンガ部３のわずかな撓みによって耳当て部１ａが耳介Ｅを付勢するようになっているので、ある程度の安定感をもって装着することができる。
【００２２】
図４は、この装着状態を示した斜視図である。この装着状態で、マイク本体部４ｃ（図４では不図示）は、使用者の口元近傍に位置して、使用者の声を良好に収音するようになっている。
【００２３】
図４には、頭部の左側の側部ＨＤと、耳介Ｅと、耳介Ｅに装着されたヘッドセット５１と、が示されている。ヘッドセット５１を一般的な形の耳介Ｅに装着した場合、軸線ＣＬａが、直立した使用者の頭部上下方向に対して、上方がやや前方に傾斜する姿勢となる。
【００２４】
また、ヘッドセット５１は、装着状態で、ハンガ部３における並軸部３ｂの後頭部側の縁部３ｂ１が、耳輪脚Ｅ３における顔側の縁部Ｅ３ａに近接又は接触した位置になると共に、腕部３ｄが耳介Ｅの後方根本側の外形形状に沿って先端部３ｅが耳垂Ｅ２に対応した位置を顔側に超えるほどに延在することで、耳介Ｅに装着される。
【００２５】
次に、腕部３ｄの掛止部３ｆを、図５及び図６を主に参照して説明する。
図５は、図１におけるＳ１−Ｓ１位置での断面図である。図５では、便宜的に腕部３ｄの湾曲形状に対する内方（本体部１側）と外方とを矢印で示してある。
ヘッドセット５１の使用状態で、外方は概ね上方になる側であり、内方は概ね下方になる側である。図６は、ヘッドセット５１を左耳に装着した状態の掛止部３ｆにおける断面図である。
【００２６】
腕部３ｄは、芯材として湾曲形成された芯部３ｄ１と、芯部３ｄ１のほぼ全周面を被覆する被覆部３ｄ２と、を有し、例えば二色成形で形成されている。
腕部３ｄにおいて、芯部３ｄ１は、基部３ａ側から図１におけるコード５よりも手前となる部位まで埋設されている。
すなわち、コード５に対応する部位を含む先端部３ｅ側の部位ＡＲ１は、芯部３ｄ１は埋設されずに被覆部３ｄ２のみで形成されている。従って、部位ＡＲ１は、芯部３ｄ１が埋設された部位よりも柔軟になっている。
これにより、ハンガ部３を左耳装着用位置と右耳装着用位置との間で回動させる際に、部位ＡＲ１を大きく変形させてコード５をまたげるようになっている。
【００２７】
芯部３ｄ１は、例えばＰＯＭ（ポリアセタール）樹脂で形成される。被覆部３ｄ２は、例えば熱可塑性エラストマやシリコーンゴムで形成される。
腕部３ｄは、横断面形状が前後方向を長手とする略楕円を呈する。
例えば、長手長さＤａ＝５．２ｍｍ、短手長さＤｂ＝４．２ｍｍとされる。
【００２８】
図５に示されるように、掛止部３ｆは、被覆部３ｄ２の長手端部の一方から斜め外後方に延出形成された延出部３ｆ１と、長手端部の他方から斜め外前方に延出形成された延出部３ｆ２と、を有している。
この例において、延出部３ｆ１と延出部３ｆ２とは、腕部３ｄの、屈曲部３ｃから先端部３ｅまでの間の湾曲延在方向において同じ位置に形成されている。
また、延出部３ｆ１と延出部３ｆ２とは、薄い平板状に形成されている。
【００２９】
図５において、延出部３ｆ１の延出方向となる延出線ＣＬｆ１と、延出部３ｆ２の延出方向となる延出線ＣＬｆ２と、のなす劣角θａは、例えば約１００°で、腕部３ｄの湾曲延在方向において一定とされる。
また、腕部３ｄの短径の延長線ＬＮａに対し、延出線ＣＬｆ１と延出線ＣＬｆ２とは、同じ角度（劣角θａの半分：θａ／２）で傾斜している。この角度は高精度で一致する必要はなく、目視で概ね同じ角度と認識できる程度の略等角度で十分である。
延長線ＬＮａは、腕部３ｄが延在する平面に沿うように設定される。
【００３０】
各延出部３ｆ１，３ｆ２の延出高さＬｆ１，Ｌｆ２を、各延出部３ｆ１，３ｆ２の先端から、腕部３ｄの外形線と延出線ＣＬｆ１，ＣＬｆ２との交点Ｐ１，Ｐ２との距離として設定すると、この例において、延出部３ｆ１の延出高さＬｆ１と延出部３ｆ２の延出高さＬｆ２とは、等しくなっている。
また、その延出高さは、例えば、Ｌｆ１（＝Ｌｆ２）＝４．３ｍｍとされる。
【００３１】
各延出部３ｆ１，３ｆ２は、腕部３ｄに沿う方向において、少なくとも図１に示される所定の延在距離Ｒｂの範囲に形成されている。また、各延出部３ｆ１，３ｆ２は、延在距離Ｒｂの範囲において、例えば一定の延出高さとなるように形成されている。
ここで延在距離は、最短直線距離ではなく腕部３ｄの湾曲延在方向に沿った距離を意味する。
この延在距離Ｒｂの範囲は、並軸部３ｂの縁部３ｂ１から所定の延在距離Ｒａを隔てて設定されている。
【００３２】
この延出距離Ｒｂが腕部３ｄ上に位置する範囲であるが、ハンガ支柱部２との連結箇所から前記腕部３ｄの長さの半分の範囲に、各延出部３ｆ１、３ｆ２の少なくとも１部が延在していればよい。
この設定によれば、耳介Ｅは、下半分が、上半分と比較して顕著に柔らかいので、装着の安定性の観点において、掛止部３ｆを耳介Ｅの上半分に対応させた方が装着姿勢が安定し、好ましい。
【００３３】
マイク部４は、ポール部４ｂが長く延出してアーム状に形成されていることから、本体部１を支点として先端のマイク本体部４ｃが図１の紙面直交方向に振られやすい。そのため、本体部１を視点としてマイク本体部４ｃとは反対側の腕部３ｄに掛止部３ｆを設けることで、マイク本体部４ｃの振れを効果的に抑制することができる。
【００３４】
各延出部３ｆ１，３ｆ２は、図１などに示されるように、その延出高さＬｆ１，Ｌｆ２が屈曲部３ｃに向かうに従って徐々に低くなる傾斜部３ｆ１ａ，３ｆ２ａを、延在距離Ｒａ１の範囲で有している。また、先端部３ｅに向かうに従って徐々に低くなる傾斜部３ｆ１ｂ，３ｆ２ｂを、延在距離Ｒｃ１の範囲で有している。
延出部３ｆ１及び延出部３ｆ２は、柔軟な被覆部３ｄ２と一体に形成されている。従って、延出部３ｆ１及び延出部３ｆ２は、それぞれ、延出線ＣＬｆ１，ＣＬｆ２と延長線ＬＮａとのなす角度が増減する方向（矢印ＤＲａ方向）に可撓性を有している。
【００３５】
延出部３ｆ１及び延出部３ｆ２は、互いの離間角度である劣角θａと、延出高さ３ｆ１，３ｆ２と、の設定により、前後方向の距離ＬＨが、所定距離ＬＨａ以上となるように設定されている。
この所定距離ＬＨａは、１２ｍｍであり、一般的な人間の頭部の側部ＨＤと耳介Ｅとの根本側の隙間よりも大きく設定されている。
すなわち、腕部３ｄを図５に示される姿勢で耳介Ｅに引っ掛けると、延出部３ｆ１が耳介Ｅの頭部側の面に当接し、かつ延出部３ｆ２が頭部の側部ＨＤに当接するようになっている。
【００３６】
これについて図６も参照して説明する。
図６は、上述した掛止部３ｆを有するハンガ部３を備えたヘッドセット５１を耳介Ｅに装着した際の、掛止部３ｆに対応する部分の断面図である。
具体的には、図６は、図４におけるＳ２−Ｓ２位置での断面に相当し、耳介Ｅの耳輪Ｅ１と頭部の側部ＨＤとを含んで記載されている。
【００３７】
腕部３ｄを耳介Ｅに掛けて使用状態にすると、掛止部３ｆの延出部３ｆ１は耳輪Ｅ１の頭部側の面Ｅ１ａに当接し、延出部３ｆ２は頭部の側部ＨＤに当接する。
そして、距離ＬＨ（図５参照）が耳輪Ｅ１と側部ＨＤとの根本側の隙間間隔よりも広いので、両延出部３ｆ１，３ｆ２は、互いに接近するように撓む（白ヌキ矢印）。
この撓みに伴い、延出部３ｆ１は耳輪Ｅ１を側部ＨＤから遠ざける方向に付勢し（矢印Ｆ１）、延出部３ｆ２は側部ＨＤを頭部内側に向け付勢する（矢印Ｆ２）。
【００３８】
これにより、掛止部３ｆと耳輪Ｅ１及び側部ＨＤとの間に隙間がなくなると共に、腕部３ｄの装着位置が安定して維持される。
そのため、掛止部３ｆを有するハンガ部３を備えたヘッドセット５１は、装着姿勢が安定してより良好な装着感を得ることができる。
【００３９】
掛止部１ｆは、腕部３ｄの、屈曲部３ｃから先端部３ｅまでの間の、装着時に耳介Ｅに対応する部位であれば、どこに設けてあってもよい。
ただし、耳輪Ｅ１の顔側の、側部ＨＤに接続する耳輪脚Ｅ３近傍は、耳輪Ｅ１と側部ＨＤとが成す角度がより鋭角であるため、矢印Ｆ１および矢印Ｆ２で示した付勢する力が大きくなる。そのため、使用者の装着違和感を生じさせないように、この近傍部位を避けて形成することが好ましい。
すなわち、腕部３ｄにおいて、屈曲部３ｃと掛止部３ｆとの間に、延出部３ｆ１，３ｆ２が存在しない部位（非掛止部：延在距離Ｒａに対応する部位）を設けてあることが好ましい。
屈曲部３ｃが設けられていない場合は、腕部３ｄが本体部１側に連結した位置である腕部３ｄの根本となる部位と、掛止部３ｆとの間に、延出部３ｆ１，３ｆ２が存在しない部位を設けてあることが好ましい。
【００４０】
これにより、延出部３ｆ１，３ｆ２は、耳介Ｅの比較的固い変形しにくい部位を避けた部位に当接し、かつ、その部位を側部ＨＤから離れる方向に広げるように付勢するので、無理なく装着が可能であり、使用者に違和感を生じさせる可能性が極めて少なくなる。
【００４１】
本発明の実施例は、上述した構成に限定されるものではなく、本発明の要旨を逸脱しない範囲において次に示されるような変形例としてもよい。
【００４２】
（変形例１）
ヘッドセット５１は、マイク部４を除いて図７に示されるような耳掛け式イヤホン５２としてもよい。換言するならば、ヘッドセット５１は、耳掛け式イヤホン５２にマイク部４を付加したものである。
耳掛け式イヤホン５２の本体部は、いわゆるインナーイヤータイプやカナルタイプであってもよい。
【００４３】
（変形例２）
本体部１とハンガ部３とは、一体化されていなくてもよい。例えば、掛止部３ｆを備えたハンガ部３は、耳掛け式ではないイヤホンに取り付けて耳掛け式として使えるようにするための耳掛けハンガ５４であってもよい。
図８は、耳掛けハンガ５４を説明するための模式図である。
図８（ａ）には、耳掛け式ではないイヤホンの一例であるカナルタイプのイヤホンＥＰと、このイヤホンＥＰを耳掛け式として使えるようにする変形例２の耳掛けハンガ５４と、が示されている。
【００４４】
イヤホンＥＰは、本体部６１と、使用時に外耳道内に挿入されるイヤピース６８と、本体部６１から引き出されたコード６５と、を有している。
耳掛けハンガ５４は、ヘッドセット５１のハンガ部３と同様の湾曲部材であり、腕部３ｄ，屈曲部３ｃ，及び掛止部３ｆに対応するハンガ本体部５４３ｄ，屈曲部５４３ｃ，及び掛止部５４３ｆを有している。掛止部５４３ｆは、実施例で説明した掛止部３ｆと同様構造であり、ハンガ本体部５４３ｄの湾曲形状の外側面に設けられた、延出部３ｆ１，３ｆ２に相当する延出部５４３ｆ１，５４３ｆ２を有している。
また、ハンガ本体部５４３ｄには、湾曲形状の内側部分にコード６５を嵌着できる溝５４３ｊが設けられている。
イヤホンＥＰのコード６５を、耳掛けハンガ５４の溝５４３ｊに嵌め込むことで、イヤホンＥＰを、図８（ｂ）に示されるような耳掛け式として使用することができる。
【００４５】
（他の変形例）
上述の実施例及び変形例１，２は、左右いずれの耳にも装着可能なものに限定されず、左耳専用又は右耳専用のものとしてもよい。
左側と右側とのいずれか一方の耳専用とした場合、例えば、実施例における腕部３ｄを、一平面に沿う形状とせずに、装着する側の耳介Ｅと頭部の側部ＨＤ形状により適合させるべく、図１の紙面直交方向にも曲がった形状とすることができる。
【００４６】
また、掛止部３ｆについても、実施例で説明したような延長線ＬＮａに対して延出線ＣＬｆ１，ＣＬｆ２を前後均等角度で設定するものでなくてもよい。
例えば、左耳専用とした場合を、図９を参照して説明する。
図９（ａ）は、図６に示されたものと同じ、左耳の耳輪Ｅ１及び側部ＨＤを後頭部側から見た断面図であり、図９（ｂ）は、左耳装着用としてより好適な、掛止部３ｆＡの形状を説明するための図である。
図９（ａ）では、使用者の直立状態での上下方向を天地方向として矢印で示してある。
【００４７】
図９（ａ）に示されるように、頭部の側部ＨＤは、概ね天地方向に沿った面となっている。一方、耳輪Ｅ１の頭部側の面Ｅ１ａは、天側に向かうに従って側部ＨＤから離れるように天地方向に対して概ね傾斜した面となっている。
従って、掛止部３ｆの延出線ＣＬｆ１，ＣＬｆ２を、延長線ＬＮａに対して前後に均等角度で割り振って設定すると、側部ＨＤに当接する延出部３ｆ２Ａの変形が延出部３ｆ１Ａの変形よりも大きくなる場合がある。この場合、側部ＨＤを付勢する力が大きくなって使用者にとって自然な装着感が得にくくなるおそれがある。また、反面、耳輪Ｅ１を付勢する力が小さくなり過ぎて、耳介形状によっては、より安定した装着感が望まれる場合があり得る。
【００４８】
そこで、図９（ｂ）に示されるように、側部ＨＤ側の延出部３ｆ２Ａの延出線ＣＬ２Ａと延長線ＬＮａとのなす角度θｂを、延出部３ｆ１Ａの延出線ＣＬ１Ａと延長線ＬＮａとのなす角度θａよりも小さく設定するとよりよい。
すなわち、θｂ＜θａにするとよりよい。
これにより、装着時の延出部３ｆ１Ａの撓み度合と、延出部３ｆ２Ａの撓み度合と、の差が小さくなる。すなわち、側部ＨＤへの付勢力と耳輪Ｅ１への付勢力との差が小さくなる。そのため、使用者にとって自然な装着感が得られる。
また、耳輪Ｅ１を付勢する力が小さくなり過ぎることがなく、耳介形状の影響をほとんど受けずにより安定した装着感を得ることができる。
【００４９】
掛止部３ｆの延出部３ｆ１，３ｆ２の形状や互いの位置関係は、種々変形することができる。それらの例が図１０（ｂ）〜（ｄ）に示されている。
実施例で説明した延出部３ｆ１，３ｆ２は、互いに対応した位置に延出長さが同じように設けられており、図１０（ａ）に示される。
図１０（ａ）〜（ｃ）は、掛止部３ｆをその真上方向（図５における外方）から見た図である。また、図１０（ｄ）は、掛止部３ｆを側方（図５における後方）から見た図である。
【００５０】
図１０（ｂ）に示されるように、延出部３ｆ１、３ｆ２は、互いに対応していない位置に交互に設けられていてもよい。
この例において、延出部３ｆ１は、延出部３ｆ１ａと延出部３ｆ１ｂに分割離隔形成され、それらの間に対応した位置に延出部３ｆ２が形成されている。
延出部３ｆ１，３ｆ２を複数に分割することで、耳輪Ｅ１及び側部ＨＤへの付勢力が局所的に集中することなく分散されやすいので、装着感がより自然に得られる。
【００５１】
延出部３ｆ１と延出部３ｆ２との間の間隔は、一定でなくてもよい。例えば、図１０（ｃ）に示されるように、屈曲部３ｃ側が狭く先端部３ｅ側が広くなるように形成するとよい。側部ＨＤと耳輪Ｅ１との隙間間隔は、後頭部側に向かうに従って広くなるのが一般的な耳介Ｅの形状である。従って、この例は、側部ＨＤと耳輪Ｅ１との隙間への装着において、両者への密着度合がより高まるので望ましい。
【００５２】
延出部３ｆ１，３ｆ２の延出長さＬｆ１，Ｌｆ２は、一定でなくてもよい。例えば、図１０（ｄ）に示されるように、
屈曲部３ｃ側よりも先端部３ｅ側が長く（高く）なるように形成するとよい。
耳輪Ｅ１は、顔側となる耳輪脚Ｅ３側が変形しにくく、耳輪脚Ｅ３から離れて後頭部側に向かうに従って柔らかく変形しやすくなっている。
従って、耳輪脚Ｅ３側の耳輪Ｅ１を過剰に付勢すると、使用者によっては付勢力を感じて装着に違和感を覚える場合があり得る。そこで、後頭部側の付勢力の方を大きくできるこの変形例はその点で好ましい。
【００５３】
同様の考え方により、延出部３ｆ１，３ｆ２の厚さを、一定ではなく、屈曲部３ｃ側よりも先端部３ｅ側の方を厚くしてもよい。これにより、耳輪脚Ｅ３側の付勢力が抑制されるので、装着における違和感を、より感じにくくできるので好ましい。
【００５４】
上述の実施例及び各変形例は、可能な範囲で互いに自由に組み合わせることができる。
【符号の説明】
【００５５】
１，６１  本体部、    １ａ  耳当て部
２  ハンガ支柱部、    ２ａ  支持軸部、    ２ｂ  止め部
３  ハンガ部
３ａ  基部、    ３ｂ  並軸部、    ３ｂ１  縁部、    ３ｃ  屈曲部
３ｄ  腕部、    ３ｄ１  芯部、    ３ｄ２  被覆部、    ３ｅ  先端部
３ｆ，３ｆＡ  掛止部、    ３ｆ１，３ｆ２，３ｆ１Ａ，３ｆ２Ａ  延出部
４  マイク部
４ａ  マイク基部、    ４ｂ  ポール部、    ４ｃ  マイク本体部
５，６５  コード
５１  ヘッドセット、    ５２，ＥＰ  イヤホン
５４  耳掛けハンガ
５４３ｄ  ハンガ本体部、    ５４３ｃ  屈曲部、    ５４３ｆ  掛止部
５４３ｊ  溝
６８  イヤピース
ＡＲ１  部位
ＣＬａ，ＣＬｂ  軸線、    ＣＬｆ１，ＣＬｆ２  延出線
Ｄａ  長手長さ、    Ｄｂ  短手長さ
Ｅ  耳介
Ｅ１  耳輪、    Ｅ１ａ  面、    Ｅ２  耳垂、    Ｅ３  耳輪脚
Ｅ３ａ  縁部
ＨＤ  側部
Ｌｆ１，Ｌｆ２  延出高さ、    ＬＨ  距離、    ＬＨａ  所定距離
ＬＮａ  延長線
ＭＵ  マイクユニット、    ＳＰ  スピーカユニット
Ｐ１，Ｐ２  交点
Ｒａ，Ｒｂ，Ｒａ１，Ｒｃ１  延在距離
θａ  劣角、    θｂ  角度、    θ４  角度
【図１】
2016009970.tif 000003
【図２】
2016009970.tif 000004
【図３】
2016009970.tif 000005
【図４】
2016009970.tif 000006
【図５】
2016009970.tif 000007
【図６】
2016009970.tif 000008
【図７】
2016009970.tif 000009
【図８】
2016009970.tif 000010
【図９】
2016009970.tif 000011
【図１０】
2016009970.tif 000012